(57)【要約】【課題】Ｘ線回折装置によって測定された回折Ｘ線に基づいて試料の定性分析を行なう試料解析システムにおいて、効率的な検索を可能とし、精度の高い定性分析を実現する。【解決手段】物質情報ＤＢ５０は、予めデータベース化された複数の物質の情報を記憶する。関連物質名ＤＢ６０は、所定のカテゴリ（アスベストや粘土鉱物等）に含まれる複数の関連物質の名称を記憶する。処理装置３０は、物質情報ＤＢ５０に記憶された複数の物質の情報の中から、関連物質名ＤＢ６０に記憶された関連物質の名称を有する物質の情報を抽出し、Ｘ線回折装置１０の測定結果をその抽出された物質情報と照合することによって、試料の定性分析を行なうように構成される。【選択図】図１
2020201037.tif 000002
【特許請求の範囲】
【請求項１】
Ｘ線回折装置と、
前記Ｘ線回折装置によって測定された回折Ｘ線に基づいて試料の定性分析を行なうように構成された解析装置とを備え、
前記解析装置は、
予めデータベース化された複数の物質の情報を記憶する第１の記憶部と、
所定のカテゴリに含まれる複数の関連物質の名称を記憶する第２の記憶部と、
前記第１の記憶部に記憶された複数の物質の情報の中から、前記第２の記憶部に記憶された関連物質の名称を有する物質の情報を抽出し、前記Ｘ線回折装置の測定結果をその抽出された物質情報と照合することによって、前記試料の定性分析を行なうように構成された処理装置とを含む、試料解析システム。
【請求項２】
前記カテゴリは、アスベスト関連物質であり、
前記第２の記憶部は、アスベストに分類される物質の名称を記憶する、請求項１に記載の試料解析システム。
【請求項３】
前記カテゴリは、粘土鉱物であり、
前記第２の記憶部は、粘土鉱物に分類される物質の名称を記憶する、請求項１に記載の試料解析システム。
【請求項４】
前記処理装置は、
前記第２の記憶部に記憶された複数の関連物質の名称を利用者に報知し、
利用者によって選択された関連物質の名称を有する物質の情報を、前記第１の記憶部に記憶された複数の物質の情報の中から抽出するように構成される、請求項１から請求項３のいずれか１項に記載の試料解析システム。
【請求項５】
前記処理装置は、利用者の要求に従って、前記カテゴリに含まれる関連物質の名称を前記第２の記憶部に追加的に記憶させる、請求項１から請求項４のいずれか１項に記載の試料解析システム。
【請求項６】
Ｘ線回折装置によって測定された回折Ｘ線に基づいて試料の定性分析を行なうように構成された試料解析装置であって、
予めデータベース化された複数の物質の情報を記憶する第１の記憶部と、
所定のカテゴリに含まれる複数の関連物質の名称を記憶する第２の記憶部と、
前記第１の記憶部に記憶された複数の物質の情報の中から、前記第２の記憶部に記憶された関連物質の名称を有する物質の情報を抽出し、前記Ｘ線回折装置の測定結果をその抽出された物質情報と照合することによって、前記試料の定性分析を行なうように構成された処理装置とを含む、試料解析装置。
【請求項７】
Ｘ線回折装置によって測定された回折Ｘ線に基づいて試料の定性分析を行なう試料解析方法であって、
予めデータベース化された複数の物質の情報の中から、所定のカテゴリに含まれる複数の関連物質の名称を有する物質情報を抽出するステップと、
前記Ｘ線回折装置の測定結果をその抽出された物質情報と照合することによって、前記試料の定性分析を行なうステップとを含む、試料解析方法。
【発明の詳細な説明】
【技術分野】
【０００１】
本開示は、試料解析システム、試料解析装置、及び試料解析方法に関する。
【背景技術】
【０００２】
試料に対してＸ線を照射し、Ｘ線の回折現象を利用して試料の構成元素を分析するＸ線回折（ＸＲＤ：X-Ray  Diffraction）法において、多結晶体を試料として扱う粉末Ｘ線回折法が知られている。粉末Ｘ線回折における定性分析では、試料にＸ線を照射して実測した回折パターンを、予めデータベース化された既知物質の回折パターンと比較することにより、試料に含まれる物質の同定が行なわれる。
【０００３】
具体的には、横軸を回折角２θとし、縦軸を回折強度Ｉとする試料の回折パターンにおいて、ブラッグの式（２ｄ×ｓｉｎθ＝ｎλ、ｄ：格子面間隔、λ：入射Ｘ線の波長、ｎ：整数）を用いて、回折強度Ｉのピーク位置２θをｄ値に換算することで、既知物質のｄ値と比較することができる。
【０００４】
物質の同定には、所謂ハナワルト法（３強線法）がしばしば用いられる。ハナワルト法（３強線法）とは、最大の強度を有するピークに対して上位３番目までの相対強度に対応するｄ値を３つ（３強線）選択し、選択されたｄ値及び相対強度の比率等の合致率が高いものを同定される物質の候補とするものである。
【０００５】
既知物質の回折パターンの情報は、データベース化されており、たとえば、ＩＣＤＤ（International  Centre  for  Diffraction Data）のＰＤＦ（Powder  Diffraction  File）や、ＩＣＳＤ（Inorganic  Crystal  Structure  Database）、ＣＳＤ（Cambridge  Structural  Database）等の種々のデータベースが提供されている。
【０００６】
たとえば、特開２０１３−６８５５５号公報（特許文献１）には、Ｘ線回折測定データから回線Ｘ線のピーク位置と積分強度とを求め、それらを予めデータベース化された標準ピークカードデータ（ＩＣＤＤのＰＤＦ等）と照合し、試料に含まれる物質を検索する定性分析を行なう解析方法が記載されている（特許文献１参照）。
【先行技術文献】
【特許文献】
【０００７】
【特許文献１】特開２０１３−６８５５５号公報
【発明の概要】
【発明が解決しようとする課題】
【０００８】
しかしながら、たとえば建材中にアスベストが含まれているか否かを分析するアスベスト定性分析等において、試料に含まれている可能性の高い物質を検索結果として出力する場合に、以下のような各種問題が生じている。
【０００９】
第１に、たとえばＩＣＤＤのＰＤＦ−４＋をデータベースに用いる場合、４０万件超もの多種の物質の情報が登録されており、上記のようなハナワルト法を用いて検索しても、期待している検索結果が得られない可能性がある。
【００１０】
なお、ＩＣＤＤのＰＤＦでは、鉱物や有機物、無機物といった物質の種類で分類されたグループを検索対象とすることが可能であるが、それでも、たとえば鉱物（Mineral）のグループに登録されている物質情報は４万件以上であり、やはり期待している検索結果が得られない可能性がある。
【００１１】
第２に、既知物質を実測して回折パターンのデータベースを自ら作成し、そのデータベースを用いて検索することも可能ではあるが、有用なデータベースとするためには、多数（たとえば数百種類）の既知物質を実測し、物質毎に回折パターンをデータベース化する必要があり、多大な手間を要する。
【００１２】
第３に、公知のデータベース（たとえばＩＣＤＤのＰＤＦ）では、多数の物質情報を管理するために物質情報毎に識別子（カード番号やＩＤ等）が付与されているため、検索対象とする物質の識別子を適宜リスト化して予め登録しておき、登録された識別子に合致する物質情報をデータベースから抽出して検索対象とすることも考えられる。この手法は、期待した検索結果が得られる可能性は高いけれども、多数（たとえば数百種類）の物質情報の識別子を調べてリストに登録することが必要であり、このような作業は多大な手間を要するとともに、ユーザが物質を漏れなくリストに登録することも難しい。
【００１３】
それゆえに、本開示の目的は、Ｘ線回折装置によって測定された回折Ｘ線に基づいて試料の定性分析を行なう試料解析システムにおいて、効率的な検索を可能とし、精度の高い定性分析を実現することである。
【課題を解決するための手段】
【００１４】
本開示の試料解析システムは、Ｘ線回折装置と、Ｘ線回折装置によって測定された回折Ｘ線に基づいて試料の定性分析を行なうように構成された解析装置とを備える。解析装置は、第１の記憶部と、第２の記憶部と、処理装置とを含む。第１の記憶部は、予めデータベース化された複数の物質の情報を記憶する。第２の記憶部は、所定のカテゴリ（たとえばアスベストや粘土鉱物等）に含まれる複数の関連物質の名称を記憶する。処理装置は、第１の記憶部に記憶された複数の物質の情報の中から、第２の記憶部に記憶された関連物質の名称を有する物質の情報を抽出し、Ｘ線回折装置の測定結果をその抽出された物質情報と照合することによって、試料の定性分析を行なうように構成される。
【発明の効果】
【００１５】
上記の試料解析システムでは、第２の記憶部には、公知のデータベースで用いられる識別子（カード番号やＩＤ等）ではなく、所定のカテゴリに含まれる複数の関連物質の名称が記憶されており、この関連物質の名称を有する物質情報が、第１の記憶部に記憶された複数の物質情報の中から抽出される。このような関連物質の名称リストは、比較的容易にユーザが漏れなく作成することが可能である。そして、このような関連物質の名称リストに基づいて、第１の記憶部に記憶された複数の物質情報の中から検索対象を適切に絞り込むことができる。したがって、この試料解析システムによれば、効率的な検索を可能とし、精度の高い定性分析を実現することができる。
【図面の簡単な説明】
【００１６】
【図１】本開示の実施の形態に従う試料解析システムの全体構成例を概略的に示す図である。
【図２】Ｘ線回折装置の構成例を示す図である。
【図３】第１関連物質名ＤＢに格納されるデータの構成例を示す図である。
【図４】第２関連物質名ＤＢに格納されるデータの構成例を示す図である。
【図５】第３関連物質名ＤＢに格納されるデータの構成例を示す図である。
【図６】図１に示す処理装置の構成を機能的に示すブロック図である。
【図７】試料解析システムによる試料解析の手順の一例を示すフローチャートである。
【図８】変形例における試料解析システムによる試料解析の手順の一例を示すフローチャートである。
【発明を実施するための形態】
【００１７】
以下、本開示の実施の形態について、図面を参照しながら詳細に説明する。なお、図中同一又は相当部分には同一符号を付してその説明は繰り返さない。
【００１８】
＜試料解析システム及びＸ線回折装置の構成＞
図１は、本開示の実施の形態に従う試料解析システムの全体構成例を概略的に示す図である。図１を参照して、試料解析システム１は、Ｘ線回折装置１０と、解析装置２０とを備える。解析装置２０は、処理装置３０と、記憶装置４０と、入力装置７０と、表示装置８０とを含む。解析装置２０は、Ｘ線回折装置１０から得られる測定データを解析するための情報処理装置であり、たとえばパソコン又はサーバによって構成される。
【００１９】
図２は、Ｘ線回折装置１０の構成例を示す図である。図２を参照して、Ｘ線回折装置１０は、Ｘ線管球１１と、試料ホルダ１２と、スリット１３と、検出器１４と、ゴニオメータ１５とを含む。解析対象の試料Ｓは、試料ホルダ１２上に載置される。
【００２０】
Ｘ線管球１１は、試料Ｓへ照射するＸ線（一次Ｘ線）を発生する。Ｘ線管球１１は、フィラメントとターゲットとを含んで構成され、フィラメントから発生した熱電子を高電圧で加速させてターゲットに衝突させることによりターゲットからＸ線を発生させる。ターゲットには、たとえば、銅（Ｃｕ）、モリブデン（Ｍｏ）、クロム（Ｃｒ）、鉄（Ｆｅ）、Ｃｏ（コバルト）等が用いられる。
【００２１】
検出器１４は、半導体材（たとえばシリコン）を主要な構成要素とする半導体検出器である。検出器１４は、Ｘ線フォトンが半導体材に吸収される際に生じる電子−正孔対を検出することにより、Ｘ線フォトンのエネルギ（波長）に比例した高さ（波高値）のパルス信号を生成する。この波高値毎のパルス数をカウントすることにより、エネルギ（波長）に応じたＸ線の強度が検出される。
【００２２】
ゴニオメータ１５は、Ｘ線管球１１から試料Ｓの表面に入射するＸ線の光路Ｌ１と試料Ｓの表面とが成す角度θ（第１角度）を変化させるように、試料ホルダ１２の保持部を回動させる。ゴニオメータ１５は、さらに、試料Ｓで回折して検出器１４に導入されるＸ線の光路Ｌ２と試料Ｓの表面とが成す角度（第２角度）を、第１角度と同じ角度θに維持しつつ変化させるように、試料ホルダ１２の保持部と検出器１４の保持部とを同軸で回動させる。
【００２３】
Ｘ線管球１１から試料Ｓに向けて、波長λのＸ線を連続的に照射しつつ、ゴニオメータ１５により、角度２θを一定の時間毎にΔ２θだけ増加させるように、試料ホルダ１２及び検出器１４を回動させる。これにより、角度θがブラッグ反射の条件２ｄｓｉｎθ＝ｎλ（ｎは整数）を満たすときにのみ、検出器１４において回折Ｘ線が検出される。
【００２４】
したがって、角度２θを増加させながら検出器１４で回折Ｘ線の強度を検出することにより、角度２θと回折Ｘ線の検出強度との関係を示すデータ（「回折パターン」と称される。）を得ることができる。この回折パターンは、試料Ｓに含まれる結晶に存在する格子面に対応した固有のパターンとなるため、この回折パターンから試料Ｓに含まれる結晶種を同定することができる。
【００２５】
再び図１を参照して、解析装置２０について、処理装置３０は、ＣＰＵ（Central  Processing  Unit）と、メモリ（ＲＯＭ（Read  Only  Memory）及びＲＡＭ（Random  Access  Memory））と、各種信号を入出力するための入出力バッファとを含んで構成される（いずれも図示せず）。ＣＰＵは、ＲＯＭに格納されているプログラムをＲＡＭ等に展開して実行する。ＲＯＭに格納されるプログラムは、処理装置３０の処理手順が記されたプログラムである。処理装置３０は、これらのプログラム及び記憶装置４０に記憶された各種データに従って、試料解析システム１における各種処理を実行する。処理装置３０の構成及び処理については、後ほど詳しく説明する。
【００２６】
記憶装置４０は、物質情報データベース（ＤＢ）５０と、第１関連物質名ＤＢ６０−１、第２関連物質名ＤＢ６０−２・・・（以下、第１関連物質名ＤＢ６０−１、第２関連物質名ＤＢ６０−２・・・を総括して「関連物質名ＤＢ６０」と称する場合がある。）とを含む。物質情報ＤＢ５０には、既知物質の回折パターンの情報が記憶されている。既知物質の回折パターンの情報は、上述のように、ＩＣＤＤのＰＤＦや、ＩＣＳＤ、ＣＳＤ等の公開されたデータベースとして提供されており、これらのデータベースの少なくとも１つが物質情報ＤＢ５０に格納されている。この実施の形態では、一例として、ＩＣＤＤのＰＤＦ−４＋が物質情報ＤＢ５０に格納されているものとする。
【００２７】
各関連物質名ＤＢ６０には、アプリケーション（分析対象）毎の関連物質名の情報が記憶されている。この例では、第１関連物質名ＤＢ６０−１には、建材の試料にアスベストが含まれているか否かを分析する建材中アスベスト定性分析用に、アスベストに関連する物質の名称のリストが格納されている。第２関連物質名ＤＢ６０−２には、試料に粘土鉱物が含まれているか否かを分析する粘土鉱物定性分析用に、粘土鉱物に関連する物質の名称のリストが格納されている。第３関連物質名ＤＢ６０−３（図示省略）には、土壌の試料に肥料が含まれているか否かを分析する肥料・土壌定性分析用に、肥料に関連する物質の名称のリストが格納されている。
【００２８】
Ｘ線回折装置１０によって測定された試料の回折パターンを、物質情報ＤＢ５０に格納されている既知物質の回折パターンと比較することにより、測定された試料に含まれる物質を同定することができる。しかしながら、物質情報ＤＢ５０には、非常に多くの物質情報が登録されているため、試料の定性分析等において、試料に含まれている可能性の高い物質を検索結果として出力する場合に、以下のような各種問題が生じている。
【００２９】
たとえば、建材中アスベスト定性分析を行なう場合、物質情報ＤＢ５０に格納されているＩＣＤＤのＰＤＦ−４＋には、４０万件を超える多種の物質情報が登録されており、ハナワルト法等を用いて検索しても、期待している検索結果が得られない可能性がある。
【００３０】
なお、アスベストは、無機繊維状の鉱物の総称であるところ、ＩＣＤＤのＰＤＦ−４は、鉱物種に限定したデータベースも提供している。しかしながら、それでも登録されている物質情報は４万件以上もあり、このようなデータベースを検索対象としても、やはり期待している検索結果が得られない可能性がある。
【００３１】
また、既知物質を実測して回折パターンのデータベースを自ら作成し、そのデータベースを用いて検索することも可能ではある。しかしながら、有用なデータベースとするためには、多数の既知物質を網羅的に実測し、物質毎に回折パターンをデータベース化する必要があり、多大な手間を要する。
【００３２】
また、ＩＣＤＤのＰＤＦ−４＋では、登録されている物質情報毎に識別子としてのカード番号が付されているため、たとえばアスベストに関連する物質のカード番号をリスト化して予め登録しておき、登録されたカード番号に合致する物質をＰＤＦ−４＋から抽出して検索対象とすることも考えられる。この手法によれば、期待した検索結果が得られる可能性は高いけれども、アスベストに関連する多種の物質に対応するカード番号を調べ上げてリストに登録することが必要であり、このような作業は多大な手間を要するとともに、ユーザが漏れなく登録することも難しい。
【００３３】
そこで、本実施の形態に従う試料解析システム１では、アプリケーション（分析対象）毎に関連物質名の情報が格納される関連物質名ＤＢ６０が設けられる。たとえば、第１関連物質名ＤＢ６０−１には、建材中アスベスト定性分析用に、アスベストに関連する各種物質の名称のリストが格納されている。そして、建材中アスベスト定性分析を行なう場合には、第１関連物質名ＤＢ６０−１に格納されたアスベスト関連物質の名称を有する物質情報が、物質情報ＤＢ５０に格納されている物質情報の中から抽出される。そして、物質情報ＤＢ５０から抽出された物質情報を検索対象として、試料を構成する物質の検索（同定）が行なわれる。
【００３４】
物質情報ＤＢ５０に登録されている各物質の名称（ＩＣＤＤのＰＤＦでは英語名称）に合わせて物質情報ＤＢ５０内を検索する必要があるので、各関連物質名ＤＢには、物質情報ＤＢ５０に登録されている物質の名称と対応付けられた形で関連物質の名称リストが格納される。
【００３５】
これにより、たとえば建材中アスベスト定性分析を行なう場合には、第１関連物質名ＤＢ６０−１のアスベスト関連物質の名称リストに基づいて、物質情報ＤＢ５０に記憶された多数の物質情報の中から検索対象を適切に絞り込むことができる。なお、第１関連物質名ＤＢ６０−１内の情報は、ＩＣＤＤのＰＤＦ−４＋で用いられるカード番号ではなく、アスベストに関連する物質の名称であるので、このような物質名称に基づくデータベースは、ユーザが比較的容易に漏れなく作成することが可能である。
【００３６】
同様に、粘土鉱物定性分析を行なう場合には、第２関連物質名ＤＢ６０−２の粘土鉱物関連物質の名称リストに基づいて、物質情報ＤＢ５０に記憶された多数の物質情報の中から検索対象を適切に絞り込むことができる。また、肥料・土壌定性分析を行なう場合には、第３関連物質名ＤＢ６０−３の肥料関連物質の名称リストに基づいて、物質情報ＤＢ５０に記憶された多数の物質情報の中から検索対象を適切に絞り込むことができる。
【００３７】
なお、一つの物質に複数の呼称が用いられ得る場合には、関連物質名ＤＢ６０に複数の呼称を登録しておくのが好ましく、さらには、使用言語が異なっても検索可能とするために、多言語で物質名称を登録しておくのが好ましい。
【００３８】
＜関連物質名ＤＢ６０のデータ構成＞
図３は、第１関連物質名ＤＢ６０−１に格納されるデータの構成例を示す図である。図３を参照して、第１関連物質名ＤＢ６０−１は、建材中アスベスト定性分析用のＤＢであって、第１関連物質名ＤＢ６０−１には、以下に説明するように、アスベストに関連する物質の名称のリストが格納されている。
【００３９】
アスベストは「石綿」とも称される。アスベストの英語表記は「Asbestos」であり、物質情報ＤＢ５０に格納されているＩＣＤＤのＰＤＦ−４＋では、各物質の名称が英語表記で登録されていることから、この例では、「アスベスト」については、英語表記の「Asbestos」に紐付けられて「アスベスト」及び「石綿」の名称が登録されている。
【００４０】
アスベストは、無機繊維状の鉱物の総称であり、蛇紋石系の鉱物、角閃石系の鉱物、石膏、炭酸カルシウム等に分類される。蛇紋石系は「蛇紋石族」とも称され、蛇紋石系に含まれる代表的な鉱物は「クリソタイル」である。クリソタイルは「温石綿」又は「白石綿」とも称される。蛇紋石系及びクリソタイルの英語表記は、それぞれ「Serpentine」及び「Chrysotile」である。したがって、この例では、「蛇紋石系」については、英語表記の「Serpentine」に紐付けられて「蛇紋石系」及び「蛇紋石族」の名称が登録されており、さらに、「クリソタイル」について、英語表記の「Chrysotile」に紐付けられて「クリソタイル」、「温石綿」、及び「白石綿」の名称が登録されている。
【００４１】
同様に、角閃石系は「角閃石族」とも称され、角閃石系の英語表記は「Amphibole」である。角閃石系に含まれる代表的な鉱物は、「クロシドライト」、「アモサイト」、「アンソフィライト」、「トレモライト」、及び「アクチノライト」である。クロシドライトは「青石綿」とも称され、クロシドライトの英語表記は「Crocidolite」である。アモサイトは「茶石綿」又は「カミントン閃石」とも称され、アモサイトの英語表記は「Amosite」である。アンソフィライトは「直閃石綿」とも称され、アンソフィライトの英語表記は「Anthophyllite」である。トレモライトは「透角閃石綿」又は「透閃石」とも称され、トレモライトの英語表記は「Tremolite」である。アクチノライトは「陽起石綿」又は「緑閃石」とも称され、アクチノライトの英語表記は「Actinolite」である。
【００４２】
以上により、「角閃石系」については、英語表記の「Amphibole」に紐付けられて「角閃石系」及び「角閃石族」の名称が登録されており、さらに、具体的な鉱物としての「クロシドライト」について、英語表記の「Crocidolite」に紐付けられて「クロシドライト」及び「青石綿」の名称が登録されている。さらに、「アモサイト」について、英語表記の「Amosite」に紐付けられて、「アモサイト」、「茶石綿」、及び「カミントン閃石」の名称が登録されており、「アンソフィライト」について、英語表記の「Anthophyllite」に紐付けられて「アンソフィライト」及び「直閃石綿」の名称が登録されている。また、さらに、「トレモライト」について、英語表記の「Tremolite」に紐付けられて、「トレモライト」、「透角閃石綿」、及び「透閃石」の名称が登録されており、「アクチノライト」について、英語表記の「Actinolite」に紐付けられて、「アクチノライト」、「陽起石綿」、及び「緑閃石」の名称が登録されている。
【００４３】
さらに、石膏の英語表記は「Gypsum」であり、英語表記の「Gypsum」に紐付けられて「石膏」の名称が登録されている。また、炭酸カルシウムの英語表記は「Calcium  carbonate」であり、英語表記の「Calcium  carbonate」に紐付けられて「炭酸カルシウム」の名称が登録されている。
【００４４】
図４は、第２関連物質名ＤＢ６０−２に格納されるデータの構成例を示す図である。図４を参照して、第２関連物質名ＤＢ６０−２は、粘土鉱物定性分析用のＤＢであって、第２関連物質名ＤＢ６０−２には、以下に説明するように、粘土鉱物に関連する物質の名称のリストが格納されている。
【００４５】
粘土鉱物の英語表記は「Clay  mineral」であり、上述のように、物質情報ＤＢ５０に格納されているＩＣＤＤのＰＤＦ−４＋では、各物質の名称が英語表記で登録されていることから、この例では、「粘土鉱物」については、英語表記の「Clay  mineral」に紐付けられて「粘土鉱物」の名称が登録されている。
【００４６】
粘土鉱物は、たとえば、バーミキュライト、ハイドロバイオタイト、ブルーサイト、セピオライト、クロライト、マイカ、長石等を含む。バーミキュライトは「蛭石」又は「苦土蛭石」とも称され、バーミキュライトの英語表記は「Vermiculite」である。ハイドロバイオタイトは「加水黒雲母」とも称され、ハイドロバイオタイトの英語表記は「Hydrobiotite」である。ブルーサイトは「水滑石」とも称され、ブルーサイトの英語表記は「Brucite」である。セピオライトは「海泡石」とも称され、セピオライトの英語表記は「Sepiolite」である。クロライトは「緑泥石」とも称され、クロライトの英語表記は「Chlorite」である。マイカは「雲母」とも称され、マイカの英語表記は「Mica」である。長石の英語表記は「Feldspar」である。
【００４７】
以上により、「粘土鉱物」については、英語表記の「Clay  mineral」に紐付けられて「粘土鉱物」の名称が登録されており、さらに、具体的な鉱物としての「バーミキュライト」について、英語表記の「Vermiculite」に紐付けられて、「バーミキュライト」、「蛭石」、及び「苦土蛭石」の名称が登録されている。さらに、「ハイドロバイオタイト」について、英語表記の「Hydrobiotite」に紐付けられて「ハイドロバイオタイト」及び「加水黒雲母」の名称が登録されており、「ブルーサイト」について、英語表記の「Brucite」に紐付けられて「ブルーサイト」及び「水滑石」が登録されている。また、「セピオライト」について、英語表記の「Sepiolite」に紐付けられて「セピオライト」及び「海泡石」の名称が登録されており、「クロライト」について、英語表記の「Chlorite」に紐付けられて「クロライト」及び「緑泥石」が登録されている。また、さらに、「マイカ」について、英語表記の「Mica」に紐付けられて「マイカ」及び「雲母」の名称が登録されており、「長石」について、英語表記の「Feldspar」に紐付けられて「長石」が登録されている。
【００４８】
図５は、第３関連物質名ＤＢ６０−３に格納されるデータの構成例を示す図である。図５を参照して、第３関連物質名ＤＢ６０−３は、肥料・土壌定性分析用のＤＢであって、第３関連物質名ＤＢ６０−３には、以下に説明するように、肥料に関連する物質の名称のリストが格納されている。
【００４９】
肥料の英語表記は「Fertilizer」であり、上述のように、物質情報ＤＢ５０に格納されているＩＣＤＤのＰＤＦ−４＋では、各物質の名称が英語表記で登録されていることから、この例では、「肥料」については、英語表記の「Fertilizer」に紐付けられて「肥料」の名称が格納されている。
【００５０】
肥料は、たとえば、リン酸アンモニウム、リン酸水素二アンモニウム、リン酸二水素アンモニウム等を含む。リン酸アンモニウムの英語表記は「Ammonium  phosphate」であり、リン酸水素二アンモニウムの英語表記は「Ammonium  phosphate  dibasic, Phosphammite」であり、リン酸二水素アンモニウムの英語表記は「Ammonium  dihydrogen  phosphate, Biphosphammite」である。
【００５１】
したがって、「肥料」については、英語表記の「Fertilizer」に紐付けられて「肥料」の名称が格納されており、さらに、具体的な肥料としての「リン酸アンモニウム」について、英語表記の「Ammonium  phosphate」に紐付けられて「リン酸アンモニウム」の名称が登録されている。さらに、「リン酸水素二アンモニウム」について、英語表記の「Ammonium  phosphate  dibasic, Phosphammite」に紐付けられて「リン酸水素二アンモニウム」の名称が登録されており、「リン酸二水素アンモニウム」について、英語表記の「Ammonium  dihydrogen  phosphate, Biphosphammite」に紐付けられて「リン酸二水素アンモニウム」の名称が登録されている。
【００５２】
再び図１を参照して、この実施の形態では、関連物質名ＤＢ６０に利用者が関連物質の名称を追加で登録することができる。これにより、関連物質名ＤＢ６０に、検索対象となる物質の名称を網羅的に登録し、物質情報ＤＢ５０から検索対象を漏れなく、かつ、適切に抽出することが可能となる。
【００５３】
入力装置７０は、試料解析システム１の利用者が操作可能な入力デバイスであり、マウスやキーボード等によって構成される。利用者は、検索したい物質名を入力装置７０から指定することができる。
【００５４】
表示装置８０は、試料解析システム１の検索条件及び解析結果を利用者に表示する表示デバイスであり、液晶ディスプレイ等によって構成される。表示装置８０をタッチパネル化して入力装置７０と一体的に構成してもよい。表示装置８０は、処理装置３０による表示処理に従って、入力装置７０から入力された物質に関連する物質名を表示したり、入力装置７０から入力された物質が含まれる関連物質名ＤＢ６０に登録されている全物質名を表示したり、定性分析の結果を表示したりすることができる。
【００５５】
＜処理装置３０の構成＞
図６は、図１に示した処理装置３０の構成を機能的に示すブロック図である。図６を参照して、処理装置３０は、プロファイル解析部３１と、関連物質名選択部３２と、物質情報検索部３３と、関連物質名登録部３４と、物質情報ＤＢ選択部３５と、表示制御部３６とを含む。
【００５６】
プロファイル解析部３１は、Ｘ線回折装置１０によって測定された試料の回折パターンに対して、スムージング、バックグラウンド除去、Ｋａ１−ａ２分離、ピークサーチ、系統誤差補正等の各種データ処理を行ない、回折パターンのピーク位置及びピーク強度を算出する。
【００５７】
関連物質名選択部３２は、検索したい物質名が入力装置７０から入力されると、当該物質名が含まれる関連物質名ＤＢ６０を特定し、特定された関連物質名ＤＢ６０から、当該物質名に関連する一連の物質名を選択する。ここで選択された物質名に対応する物質が物質情報ＤＢ５０から抽出され、検索対象の候補となる。
【００５８】
選択された一連の物質名は、表示装置８０に表示される。この場合、表示装置８０に表示された一連の物質名の中から利用者が検索対象の候補を選択可能としてもよいし、表示装置８０に表示された一連の物質名に対応する物質全てを検索対象の候補としてもよい。
【００５９】
なお、図３〜図５に示したように、関連物質名ＤＢ６０には、物質情報ＤＢ５０に登録されている物質の名称（ＩＣＤＤのＰＤＦでは英語名）と対応付けられて関連物質の名称リスト（たとえば和文名）が登録されており、さらに、一つの物質に対して複数の名称が存在する場合には、複数の名称が登録されている。そのため、物質情報ＤＢ５０に登録されている物質の名称が１ワード（英語名）であっても、選択された物質名に対応する物質の情報を物質情報ＤＢ５０から検索することができる。
【００６０】
たとえば、入力装置７０から「アスベスト」やアスベストの一部である「クリソタイル」と入力された場合に、関連物質名選択部３２は、建材中アスベスト定性分析用の第１関連物質名ＤＢ６０−１から、クロシドライトやアモサイト、アンソフィライト、トレモライト、アクチノライト等を関連物質として表示装置８０に表示させる。そして、関連物質名選択部３２は、表示装置８０に表示させた上記の物質名のうち、利用者により選択された物質名に対応する物質を検索対象の候補とする。なお、上記のような利用者による選択機能を設けることなく、入力装置７０から入力された物質名に関連する物質全てを検索対象としてもよい。
【００６１】
なお、入力装置７０から分析対象（「建材中アスベスト定性分析」等）が指定された場合に、関連物質名選択部３２は、指定された分析対象に対応する関連物質名ＤＢ６０（分析対象が「建材中アスベスト分析」の場合には第１関連物質名ＤＢ６０−１）に含まれる全物質の名称を表示装置８０にリスト表示させるようにしてもよい。
【００６２】
物質情報検索部３３は、関連物質名選択部３２により選択された検索対象の物質の情報を物質情報ＤＢ５０から検索して抽出する。上述のように、関連物質名ＤＢ６０では、各物質名は、物質情報ＤＢ５０に登録されている物質の名称と対応付けられているので、関連物質名選択部３２により選択された物質名に対応する物質情報を物質情報ＤＢ５０から検索して抽出することができる。そして、物質情報検索部３３は、プロファイル解析部３１により算出された未知試料のプロファイル（回折パターンのピーク位置及びピーク強度）と、物質情報ＤＢ５０から抽出された各物質のプロファイルデータとを比較し、たとえばハナワルト法（３強線法）を用いて、ｄ値及び強度等の適合率を計算する。そして、物質情報検索部３３は、適合率の高い順に所定数の物質情報を表示装置８０に表示させる。
【００６３】
関連物質名登録部３４は、入力装置７０から入力される、関連物質名ＤＢ６０に登録されていない物質名を、該当の関連物質名ＤＢ６０に追加するための処理を実行する。未登録の物質名をどの関連物質名ＤＢ６０に追加するかは、未登録物質名の入力とともに、利用者が分析対象（関連物質名ＤＢ６０）を指定する。
【００６４】
物質情報ＤＢ選択部３５は、物質検索に利用する既知物質のＤＢを選択する。すなわち、物質情報ＤＢ５０には、ＩＣＤＤのＰＤＦや、ＩＣＳＤ、ＣＳＤ等の公開された各種ＤＢをインストール可能であり、複数のＤＢがインストールされている場合に、利用するＤＢを入力装置７０から利用者が選択することができる。そして、物質情報ＤＢ選択部３５は、入力装置７０からの入力に従って、物質検索に利用する既知物質のＤＢを選択する。
【００６５】
表示制御部３６は、表示装置８０の表示を制御する。たとえば、表示制御部３６は、入力装置７０からの入力事項や、関連物質名選択部３２により選択された物質名、物質情報検索部３３による検索結果、物質情報ＤＢ選択部３５により選択されたＤＢ等の各種情報を表示装置８０に表示させるための処理を実行する。
【００６６】
図７は、この試料解析システム１による試料解析の手順の一例を示すフローチャートである。図７を参照して、解析装置２０の処理装置３０は、Ｘ線回折装置１０を制御することによって、試料Ｓ（図２）のＸ線回折測定を実行する（ステップＳ１０）。
【００６７】
試料の回折パターンが取得されると、処理装置３０は、取得された試料の回折パターンのプロファイル解析を実行する（ステップＳ２０）。具体的には、処理装置３０は、取得された回折パターンに対して、スムージング、バックグラウンド除去、Ｋａ１−ａ２分離、ピークサーチ、系統誤差補正等の各種データ処理を行ない、回折パターンのピーク位置及びピーク強度を算出する。
【００６８】
次いで、検索物質名が指定される（ステップＳ３０）。検索物質名の指定は、利用者により入力装置７０から指定される。検索物質名が指定されると、処理装置３０は、検索物質名が含まれる関連物質名ＤＢ６０を特定する。そして、処理装置３０は、その特定された関連物質名ＤＢ６０に登録されている関連物質名の一覧を表示装置８０に表示させる（ステップＳ４０）。
【００６９】
関連物質名の一覧が表示装置８０に表示されると、その中から検索候補が指定される（ステップＳ５０）。検索候補の指定は、利用者により入力装置７０から指定される。たとえば、表示された物質名を利用者がクリックしたりチェックボックスにチェックを入れたりすることによって、検索候補が指定される。なお、検索候補をここで指定することなく、一覧表示された関連物質名に対応する物質全てを検索候補としてもよい。
【００７０】
検索候補が指定されると、物質情報ＤＢ５０が選択される（ステップＳ６０）。具体的には、物質情報ＤＢ５０には、ＩＣＤＤのＰＤＦや、ＩＣＳＤ、ＣＳＤ等の公開された各種ＤＢか格納されており、物質検索に利用するＤＢが入力装置７０から利用者により選択される。なお、物質情報ＤＢ５０に１種類のＤＢ（たとえばＩＣＤＤのＰＤＦのみ）しか格納されていない場合には、ステップＳ６０において当該ＤＢが自動的に選択されるようにしてもよい。
【００７１】
次いで、処理装置３０は、ステップＳ５０において指定された検索候補の物質名を有する物質情報を物質情報ＤＢ５０から抽出する（ステップＳ７０）。関連物質名ＤＢ６０では、各物質名は、物質情報ＤＢ５０に登録されている物質の名称と対応付けられているので、ステップＳ５０において指定された検索候補の物質名に対応する物質情報を物質情報ＤＢ５０から抽出することができる。
【００７２】
そして、処理装置３０は、抽出された物質情報を検索対象として、測定試料の定性分析を実行する（ステップＳ８０）。具体的には、処理装置３０は、ステップＳ２０において算出された試料のプロファイル（回折パターンのピーク位置及びピーク強度）と、ステップＳ７０において抽出された各物質情報のプロファイルデータとを比較し、たとえばハナワルト法（３強線法）を用いて、各物質情報とのｄ値及び強度等の適合率を計算する。
【００７３】
そして、処理装置３０は、定性分析の結果を表示装置８０に表示させる（ステップＳ９０）具体的には、処理装置３０は、ステップＳ８０における定性分析の結果、適合率の高い順に所定数の物質情報を表示装置８０に表示させる。これにより、利用者は、表示装置８０に表示された定性分析の結果に基づいて、試料中に対象物質が含まれているか否かを判定することができる。
【００７４】
以上のように、この実施の形態によれば、関連物質名が記憶された関連物質名ＤＢ６０を用いて、物質情報ＤＢ５０に記憶された多種の物質情報の中から検索対象を適切に絞り込むことができる。したがって、この実施の形態によれば、効率的な検索を可能とし、精度の高い定性分析を実現することができる。
【００７５】
また、この実施の形態によれば、物質情報ＤＢ５０に記憶された多種の物質情報の中から、建材アスベストに関連する検索対象を適切に絞り込むことができる。したがって、この実施の形態によれば、建材中アスベスト定性分析において、効率的な検索を可能とし、精度の高い定性分析を実現することができる。
【００７６】
また、この実施の形態によれば、物質情報ＤＢ５０に記憶された多種の物質情報の中から、粘土鉱物に関連する検索対象を適切に絞り込むことができる。したがって、この実施の形態によれば、粘土鉱物分析において、効率的な検索を可能とし、精度の高い定性分析を実現することができる。
【００７７】
また、この実施の形態によれば、関連物質名ＤＢ６０に記憶された複数の関連物質の名称を表示装置８０に表示し、物質情報ＤＢ５０において検索対象とする物質情報を利用者が選択可能としたので、利用者の希望に沿って検索対象を決定することができる。
【００７８】
また、この実施の形態によれば、関連物質の名称を関連物質名ＤＢ６０に追加的に記憶可能としたので、利用者によって関連物質名ＤＢ６０の内容をより充実化させることができる。その結果、関連物質名ＤＢ６０に記憶された関連物質名に基づく検索機能を充実化させることができる。
【００７９】
＜変形例＞
なお、上記の実施の形態では、利用者が入力装置７０から検索物質名を指定するものとしたが（図７のステップＳ３０）、物質名を直接指定するのではなく、分析対象を指定するようにしてもよい。分析対象とは、建材の試料にアスベストが含まれているか否かを分析する「建材中アスベスト定性分析」、試料に所定の粘土鉱物が含まれているか否かを分析する「粘土鉱物定性分析」、試料に所定の肥料が含まれているか否かを分析する「肥料・土壌定性分析」等である。
【００８０】
図８は、この変形例における試料解析システム１による試料解析の手順の一例を示すフローチャートである。図８を参照して、ステップＳ１１０，Ｓ１２０及びステップＳ１５０からステップＳ１９０の処理は、図７に示したフローチャートのステップＳ１０，Ｓ２０及びステップＳ５０からステップＳ９０の処理とそれぞれ同じである。
【００８１】
ステップＳ１２０において試料の回折パターンのプロファイル解析が実行されると、分析対象が指定される（ステップＳ１３０）。分析対象の指定は、利用者により入力装置７０から指定される。
【００８２】
分析対象が指定されると、処理装置３０は、指定された分析対象に対応する関連物質名ＤＢ６０を特定する。具体的には、ステップＳ１３０において「建材中アスベスト定性分析」が指定された場合には、処理装置３０は、第１関連物質名ＤＢ６０−１を特定する。「粘土鉱物定性分析」が指定された場合には、処理装置３０は、第２関連物質名ＤＢ６０−２を特定し、「肥料・土壌定性分析」が指定された場合には、処理装置３０は、第３関連物質名ＤＢ６０−３を特定する。
【００８３】
そして、処理装置３０は、ステップＳ１３０において指定された分析対象に対応する関連物質名ＤＢ６０に登録されている物質名の一覧を表示装置８０に表示させる（ステップＳ１４０）。
【００８４】
関連物質名の一覧が表示装置８０に表示されると、ステップＳ１５０へ処理が移行され、表示された物質名の一覧の中から検索候補が指定される。以降の処理は、図７で説明済みであるので説明を繰り返さない。
【００８５】
この変形例によっても、上記の実施の形態と同様の効果が得られる。
［態様］
上述した例示的な実施の形態及びその変形例は、以下の態様の具体例であることが当業者により理解される。
【００８６】
（第１項）一態様に係る試料解析システムは、Ｘ線回折装置と、Ｘ線回折装置によって測定された回折Ｘ線に基づいて試料の定性分析を行なうように構成された解析装置とを備える。解析装置は、第１の記憶部と、第２の記憶部と、処理装置とを含む。第１の記憶部は、予めデータベース化された複数の物質の情報を記憶する。第２の記憶部は、所定のカテゴリ（たとえばアスベストや粘土鉱物等）に含まれる複数の関連物質の名称を記憶する。処理装置は、第１の記憶部に記憶された複数の物質の情報の中から、第２の記憶部に記憶された関連物質の名称を有する物質の情報を抽出し、Ｘ線回折装置の測定結果をその抽出された物質情報と照合することによって、試料の定性分析を行なうように構成される。
【００８７】
第１項に記載の試料解析システムにおいては、第２の記憶部には、公知のデータベースで用いられる識別子（カード番号やＩＤ等）ではなく、所定のカテゴリに含まれる複数の関連物質の名称が記憶されており、この関連物質の名称を有する物質情報が、第１の記憶部に記憶された複数の物質情報の中から抽出される。このような関連物質の名称リストは、比較的容易にユーザが漏れなく作成することが可能である。そして、このような関連物質の名称リストに基づいて、第１の記憶部に記憶された複数の物質情報の中から検索対象を適切に絞り込むことができる。したがって、この試料解析システムによれば、効率的な検索を可能とし、精度の高い定性分析を実現することができる。
【００８８】
（第２項）第１項に記載の試料解析システムにおいて、所定のカテゴリは、アスベスト関連物質であり、第２の記憶部は、アスベストに分類される物質の名称を記憶する。
【００８９】
第２項に記載の試料解析システムによれば、第１の記憶部に記憶された複数の物質情報の中から、アスベストに関連する検索対象を適切に絞り込むことができる。したがって、この試料解析システムによれば、建材中アスベスト定性分析において、効率的な検索を可能とし、精度の高い定性分析を実現することができる。
【００９０】
（第３項）第１項に記載の試料解析システムにおいて、所定のカテゴリは、粘土鉱物であり、第２の記憶部は、粘土鉱物に分類される物質の名称を記憶する。
【００９１】
第３項に記載の試料解析システムによれば、第１の記憶部に記憶された複数の物質情報の中から、粘土鉱物に関連する検索対象を適切に絞り込むことができる。したがって、この試料解析システムによれば、粘土鉱物定性分析において、効率的な検索を可能とし、精度の高い定性分析を実現することができる。
【００９２】
（第４項）第１項から第３項のいずれか１項に記載の試料解析システムにおいて、処理装置は、第２の記憶部に記憶された複数の関連物質の名称を利用者に報知し、利用者によって選択された関連物質の名称を有する物質の情報を、第１の記憶部に記憶された複数の物質の情報の中から抽出するように構成される。
【００９３】
第４項に記載の試料解析システムによれば、第１の記憶部からの物質情報の抽出に用いる関連物質の名称を利用者によって選択可能としたので、利用者の希望に沿って検索対象を決定することができる。
【００９４】
（第５項）第１項から第４項のいずれか１項に記載の試料解析システムにおいて、処理装置は、利用者の要求に従って、カテゴリに含まれる関連物質の名称を第２の記憶部に追加的に記憶させる。
【００９５】
第５項に記載の試料解析システムによれば、関連物質の名称を第２の記憶部に追加的に記憶可能としたので、利用者によって第２の記憶部の内容をより充実化させることができる。その結果、第２の記憶部に記憶された関連物質名に基づく検索機能を充実化させることができる。
【００９６】
（第６項）Ｘ線回折装置によって測定された回折Ｘ線に基づいて試料の定性分析を行なうように構成された試料解析装置であって、第１の記憶部と、第２の記憶部と、処理装置とを含む。第１の記憶部は、予めデータベース化された複数の物質の情報を記憶する。第２の記憶部は、所定のカテゴリに含まれる複数の関連物質の名称を記憶する。処理装置は、第１の記憶部に記憶された複数の物質の情報の中から、第２の記憶部に記憶された関連物質の名称を有する物質の情報を抽出し、Ｘ線回折装置の測定結果をその抽出された物質情報と照合することによって、試料の定性分析を行なうように構成される。
【００９７】
（第７項）Ｘ線回折装置によって測定された回折Ｘ線に基づいて試料の定性分析を行なう試料解析方法であって、予めデータベース化された複数の物質の情報の中から、所定のカテゴリに含まれる複数の関連物質の名称を有する物質情報を抽出するステップと、Ｘ線回折装置の測定結果をその抽出された物質情報と照合することによって、試料の定性分析を行なうステップとを含む。
【００９８】
上記第６項に記載の試料解析装置、及び第７項に記載の試料解析方法によれば、効率的な検索を可能とし、精度の高い定性分析を実現することができる。
【００９９】
今回開示された実施の形態は、全ての点で例示であって制限的なものではないと考えられるべきである。本発明の範囲は、上記した実施の形態の説明ではなくて特許請求の範囲によって示され、特許請求の範囲と均等の意味及び範囲内での全ての変更が含まれることが意図される。
【符号の説明】
【０１００】
１  試料解析システム、１０  Ｘ線回折装置、１１  Ｘ線管球、１２  試料ホルダ、１３  スリット、１４  検出器、１５  ゴニオメータ、２０  解析装置、３０  処理装置、３１  プロファイル解析部、３２  関連物質名選択部、３３  物質情報検索部、３４  関連物質名登録部、３５  物質情報ＤＢ選択部、３６  表示制御部、４０  記憶装置、５０  物質情報ＤＢ、６０  関連物質名ＤＢ、７０  入力装置、８０  表示装置。
【図１】
2020201037.tif 000003
【図２】
2020201037.tif 000004
【図３】
2020201037.tif 000005
【図４】
2020201037.tif 000006
【図５】
2020201037.tif 000007
【図６】
2020201037.tif 000008
【図７】
2020201037.tif 000009
【図８】
2020201037.tif 000010